(57)【要約】  【課題】  吊架線保護カバーを構成する一対の分割体を固定するための止めピンを容易に着脱操作でき、かつ確実に抜け止めする。  【解決手段】  止めピン１１は、分割体２のピン孔９ａ，１０ａの内周面を押圧するように撓ませつつ挿入させるための曲げ部１２を有する弾性変形可能な金属線で構成する。止めピン１１の一端部には、曲がりの内側に折り返して、先端がピン孔９ａの出口から露出すると戻り変形して、固定部９に係合する抜け止め部１３を備える。他端部には、曲がりの内側に折り返し、ピン孔９ａへの挿入を阻止すると共に、固定部９のピン孔９ａの内周面から側面までを受け入れるクリップ部１４ａを備えた摘み部１４を設ける。ピン孔９ａ，１０ａに差し込んで出口側開口から抜け出た抜け止め部１３を固定部９の側面に沿って押し込み弾性変形させると係合を解き、抜け止め部１３をピン孔９ａに押し込んで、止めピン１１を引き抜ける。【選択図】  図６
2014189163.tif 000002
【特許請求の範囲】
【請求項１】
軸線方向に沿って二分割された半円筒部と、半円筒部の一端に鍔部と、他端に半径方向に突出し、前記鍔部に有する切欠にはめ込み可能な係合部とをそれぞれ備えた一対の分割体からなり、両分割体を半円筒部の軸線方向に互い違いに係合させることにより糸巻状に組まれる吊架線保護カバーにおける前記鍔部及び係合部の外側面から一体的に突出する固定部を貫通するピン孔に差し込んで両分割体を固定する止めピンであって、
軸線直交方向の幅が前記ピン孔の直径を超え、ピン孔への挿入により弾性変形させるための曲げ部を有する金属線からなり、
一端部が前記曲げ部の曲がりの内側に突出し、前記ピン孔の出口側開口から抜け出ると曲がり部の戻り変形により開口から外れた位置に変位して、前記固定部に係合する抜け止め部と、
前記抜け止め部が前記固定部に係合する挿入位置に達したら、前記ピン孔への挿入を阻止する他端部の摘み部とを具備し、
前記固定部に係合した抜け止め部をピン孔の軸線に沿うように止めピンを弾性変形させることにより係合を解除して引き抜き可能であることを特徴とする吊架線保護カバー用止めピン。
【請求項２】
軸線方向に沿って二分割された半円筒部と、半円筒部の一端に鍔部と、他端に半径方向に突出し、前記鍔部に有する切欠にはめ込み可能な係合部とをそれぞれ備えた一対の分割体からなり、両分割体を半円筒部の軸線方向に互い違いに係合させることにより糸巻状に組まれる吊架線保護カバーにおいて、
前記鍔部及び係合部の外側面から一体的に突出し、前記軸線直交方向に貫通するピン孔を備えた固定部と、
このピン孔に差し込んで両分割体を固定する止めピンとを具備し、
前記止めピンは、軸線直交方向の幅が前記ピン孔の直径を超え、ピン孔への挿入により弾性変形するための曲げ部を有する金属線からなり、
一端部が前記曲げ部の曲がりの内側に突出し、前記ピン孔の出口側開口から抜け出ると曲がり部の戻り変形により開口から外れた位置に変位して、前記固定部に係合する抜け止め部と、
前記抜け止め部が前記固定部に係合する挿入位置に達したら、前記ピン孔への挿入を阻止する他端部の摘み部とを具備し、
前記固定部に係合した抜け止め部をピン孔の軸線方向に沿うように止めピンを弾性変形させることにより係合を解除して引き抜き可能であることを特徴とする吊架線保護カバー。
【請求項３】
前記抜け止め部は、前記曲げ部の曲がりの内側に折り返されて先端が他端側を向き、引き抜き操作により固定部に突き当たることを特徴とする請求項１又は２に記載の吊架線保護カバー用止めピン又は吊架線保護カバー。
【請求項４】
前記抜け止め部は、前記ピン孔の出口側開口から抜け出て前記曲げ部の戻り変形により開口から外れた位置に張り出す大径部を具備することを特徴とする請求項１又は２に記載の吊架線保護カバー用止めピン又は吊架線保護カバー。
【請求項５】
前記抜け止め部は、前記曲げ部の曲がりの内側に立ち上がってから、軸線方向に沿うようにさらに屈曲したクランク部を具備することを特徴とする請求項１又は２に記載の吊架線保護カバー用止めピン又は吊架線保護カバー。
【請求項６】
前記摘み部は、前記ピン孔への挿入にしたがって前記固定部を押圧しつつ固定部を受け入れるクリップ部を具備することを特徴とする請求項１から５のいずれかに記載の吊架線保護カバー用止めピン又は吊架線保護カバー。
【請求項７】
前記摘み部は、前記ピン孔への挿入を妨げる屈曲部を具備することを特徴とする請求項１から５のいずれかに記載の吊架線保護カバー用止めピン又は吊架線保護カバー。
【請求項８】
前記摘み部は、前記ピン孔への挿入を妨げる湾曲部を具備することを特徴とする請求項１から５のいずれかに記載の吊架線保護カバー用止めピン又は吊架線保護カバー。
【発明の詳細な説明】
【技術分野】
【０００１】
本発明は、電車線路において吊架線に装着するために半割の一対の分割体で構成される吊架線保護カバーの当該分割体同士を固定する止めピン及びこれを用いた吊架線保護カバーに関する。
【背景技術】
【０００２】
従来、円筒部の一端に鍔を、他端に半径方向に突出する係合部をそれぞれ備えた一対の分割体から成り、鍔に係合部をはめ込み可能な切欠部を備え、両分割体を互い違いに係合させることにより糸巻状に構成する吊架線保護カバーがある（特許文献１）。両分割体は、係合状態で鍔と係合部とに割ピンを貫通させて、相互を外れ止めしている。
【先行技術文献】
【特許文献】
【０００３】
【特許文献１】実開昭６０-１６３４号のマイクロフィルム
【発明の概要】
【発明が解決しようとする課題】
【０００４】
上記従来の吊架線保護カバーにおいては、割ピンを挿入後、二股にピンを割り拡げて抜け止めするが、作業手袋を装着したままでの割ピンの曲げ操作が容易でないし、取り外す際に割ピンを再度真っ直ぐに変形させて抜き取るためにペンチ等の工具を用いる作業がわずらわしい。これらの保護カバーの着脱作業は高所である上に、夜間に行うことが多く、割ピンに代わり簡単に操作できるものが望まれている。
そこで、本発明は、係合させた一対の分割体に対して簡単に着脱操作できる止めピン及びこれを用いた吊架線保護カバーを提供することを目的とする。
【課題を解決するための手段】
【０００５】
本発明においては、軸線方向に沿って二分割された半円筒部３と、半円筒部３の一端に鍔部４と、他端に半径方向に突出し、鍔部４に有する切欠き８にはめ込み可能な係合部５とをそれぞれ備えた一対の分割体２，２からなり、両分割体２，２を半円筒部の軸線方向に互い違いに係合させることにより糸巻状に組まれる吊架線保護カバー１において、鍔部４及び係合部５の外側面から一体的に突出する固定部９，１０に止めピン１１を貫通させて分割体相互を固定する。止めピン１１は、軸線直交方向の幅が前記ピン孔の直径を超え、ピン孔への挿入により弾性変形させるための曲げ部１２を有する金属線で構成する。止めピン１１の一端部には曲げ部１２の曲がりの内側に突出し、ピン孔９ａの出口側開口から抜け出ると、曲がり部１２の戻り変形により開口から外れた位置に変位して、固定部９に係合する抜け止め部１３を備える。止めピン１１の他端部には、抜け止め部１３が固定部９に係合する挿入位置に達したら、ピン孔９ａへの挿入を阻止する摘み部１４を備える。固定部９に係合した抜け止め部１３をピン孔９ａの軸線に沿うように弾性変形させることにより引き抜き可能になる。
【発明の効果】
【０００６】
本発明においては、一対の分割体を組んでピン孔に止めピンを挿入すれば、曲げ部の曲がりにより撓んでピン孔の内周面に押し当たると共に、ピン孔の出口側開口から抜け出た抜け止め部が固定部に係合する一方、摘み部がピン孔への挿入を阻止するから、分割体の固定操作を片手での止めピンの差し込み操作で簡単に行うことができるし、抜け止め部と摘み部との間で止めピンを確実に抜け止めできる一方、抜け止め部をピン孔の軸線に沿うように差し込んだ止めピンを弾性変形させれば、引き抜くことができ、簡単に抜き取り操作でき、従って、吊架線保護カバーの着脱作業を手元の暗い高所でも簡単に行うことができる。
【図面の簡単な説明】
【０００７】
【図１】本発明に係る吊架線保護カバーの斜視図である。
【図２】図１の吊架線保護カバーの正面図である。
【図３】図１の吊架線保護カバーの側面図である。
【図４】図１の吊架線保護カバーの分解斜視図である。
【図５】本発明に係る第１実施例の止めピンの正面図である。
【図６】（Ａ）は図５の止めピンの挿入途上の正面図、（Ｂ）は止めピンの装着状態の正面図である。
【図７】本発明に係る第２実施例の止めピンの一部正面図である。
【図８】本発明に係る第３実施例の止めピンの一部正面図である。
【図９】本発明に係る第４実施例の止めピンの一部正面図である。
【図１０】本発明に係る第５実施例の止めピンの一部正面図である。
【図１１】本発明に係る第６実施例の止めピンの一部正面図である。
【発明を実施するための形態】
【０００８】
本発明の第１実施例を図面を参照して説明する。
図１ないし図３において、吊架線保護カバー１は、円筒部の両端に鍔部を備えた糸巻き状をなす。図４に示すように吊架線保護カバー１は、一端部に鍔部４をそれぞれ備える共に、円筒部が軸線方向に沿って二分割された合成樹脂製の一対の分割体２，２を互い違いに組み付けて構成される。分割体２は、吊架線保護カバー１の円筒部を二分した半円筒部３と、これら半円筒部３の一端に半径方向に拡がる鍔部４と、半円筒部３の他端に軸線直交方向に延出する係合部５とを具備する。半円筒部３の側縁部には、互いにスライド係合可能な軸線方向の溝６と突条７とを備えている。鍔部４には、半円筒部３のほぼ両縁に対応する縁を有する、係合部５がはまる切欠き８を備える。切欠き８の両縁部及び係合部５には、外側に向かって張り出した固定部９，１０を備えている。固定部９，１０には、分割体２，２の組み付け状態で一体的に連続する軸線直交方向のピン孔９ａ，１０ａを備える。半円筒部３には他方の鍔部４が突き当たり位置決めする円弧状突起３ａを有する。
【０００９】
分割体２，２の組み付け状態で連続するピン孔９ａ，１０ａには、分割体２，２を固定するために止めピン１１が差し込まれる。止めピン１１は金属線で形成され、図５に示すように、中間部に直線状に弾性変形可能な略く字状の曲げ部１２を備え、一端部に曲げ部１２の曲がりの内側に向かってＵ字状に折り返された抜け止め部１３を備え、他端部に曲がりの内側に立ち上がって一端部側にほぼ直角に屈曲したクリップ部１４ａを有する摘み部１４を備える。止めピン１１は軸線直交方向の幅がピン孔９ａ，１０ａの直径を超え、ピン孔９ａ，１０ａに挿入されると、ピン孔９ａ，１０ａに沿って曲げ部１２の屈曲角が開かれる方向に徐々に撓み、ピン孔９ａ，１０ａに沿って撓んだ止めピン１１がピン孔９ａの出口側開口から抜け出ると戻り変形するので、抜け止め部１３の先端が開口から外れた位置に変位することとなって固定部９に係合し、止めピン１１の引き抜き操作により固定部９の側面に突き当たり抜けを阻止する。一方、係合した抜け止め部１３は、固定部９の側面に沿って開口側へ押し込んで、止めピン１１をピン孔９ａの軸線に沿うように弾性変形させれば、ピン孔９ａの開口に合致して押し込むことができ、入り口側開口から摘み部１４が突出する。摘み部１４のクリップ部１４ａは、止めピン１１をピン孔９ａ，１０ａに挿入するにしたがって固定部９の側面を押圧しつつ撓み、固定部９のピン孔９ａの内周面から側面までを受け入れ、抜け止め部１３が固定部９に係合すると、ピン孔９ａに挿入できない。
【００１０】
この吊架線保護カバー１においては、一対の分割体２，２の半円筒部３を軸線方向に互い違いに配置し、溝６と突条７をスライド係合させて、鍔部４を円弧状突起３ａに当接させれば、鍔部４の切欠き８に係合部５が嵌り、分割体２，２が組み上がる。分割体２，２の組み付け状態で固定部９，１０のピン孔９ａ，１０ａが連続するからこれらに止めピン１１を差し込む。摘み部１４をつまんで止めピン１１を抜け止め部１３からピン孔９ａ，１０ａに挿入していくと、図６（Ａ）に示すように、途上の摘み部１４に固定部９のピン孔９ａから側面までの部分が入り込むと共に、止めピン１１の曲げ部１２の屈曲角が開かれる方向に徐々に弾性変形する。止めピン１１をさらに挿入し、図６（Ｂ）に示すように、抜け止め部１３の先端がピン孔９ａから抜け出ると、曲げ部１２の屈曲角が狭まる方向にわずかに戻り変形し、この状態で止めピン１１を引き抜き操作すると、抜け止め部１３の先端が固定部９に突き当たって抜け出しを阻止する。同時に摘み部１４が固定部９，１０を弾性的に挟み込むと共に、挿入を阻止する。この結果、止めピン１１はピン孔９ａ，１０ａの軸線方向前後に移動不可能に固定される。
【００１１】
一方、吊架線保護カバー１を吊架線から取り外すために、止めピン１１を抜き出すには、曲げ部１２の屈曲角が開く方向に抜け止め部１３を押し込んで止めピン１１弾性変形させ、抜け止め部１３の先端をピン孔９ａの開口位置に配置すれば、抜け止め部１３をピン孔９ａに押し込むことができ、これによりピン孔９ａの入り口側開口から摘み部１４が固定部９の側面から突出するのでこれをつまんで止めピン１１を引き出せばよい。
【００１２】
第２実施例の止めピンの一部を図７に示す。なお、以下において、第１実施例の止めピンと同一の構成部分には同一の符号を付して説明を省略する。図７において止めピン１１の抜け止め部１５は、ピン孔９ａ，１０ａに挿入可能で、かつピン孔９ａの出口側開口から抜け出ると、止めピン１１の戻り変形により開口から固定部９の側面に張り出して固定部９に係合する大径部１５ａを備えている。大径部１５ａがピン孔９ａの開口縁部に係合し、止めピン１１の引き抜きを阻止するが、抜け止め部１５の先端部を固定部９の側面に沿って開口側へ押すように止めピン１１を弾性変形させれば、大径部１５ａがピン孔９ａの開口に対向し、ピン孔９ａに押し込むことができる。
【００１３】
第３実施形態を図８に示す。同図において止めピン１１の抜け止め部１６は、曲げ部１２の曲がりの内側に固定部９の側面に沿って屈曲してから、固定部９の側面から立ち上がるようにさらに屈曲したクランク部１６ａを備えている。抜け止め部１６は、ピン孔９ａ，１０ａに挿入可能で、ピン孔９ａの出口側開口から露出すると、止めピン１１の戻り変形により、クランク部１６ａがピン孔９ａの開口縁部に係合し、止めピン１１の引き抜きを阻止するが、先端部を固定部９の側面に沿って開口側へ押すように止めピン１１を弾性変形させれば、クランク部１６ａがピン孔９ａの開口に対向し、ピン孔９ａに押し込むことができる。
【００１４】
第４実施例を図９に示す。同図において止めピン１１の摘み部１７は、固定部９の側面に沿うようにピン孔９ａの半径方向に屈曲して外側に突出し、ピン孔９ａへの挿入を阻止する屈曲部１７ａを備える。摘み部１７は、止めピン１１をピン孔９ａに挿入していき、図示しない抜け止め部がピン孔９ａから抜け出て固定部９に係合する挿入位置になると、入口側の固定部９の側面に当接し、抜け止め部との間で止めピン１１をピン孔９ａ，１０ａの軸線方向前後に移動不可能にする一方、係合を解いた抜け止め部をピン孔９ａに押し込むと、固定部９から突出するので、つまんで止めピン１１をピン孔９ａ，１０ａから引き抜くことができる。
なお、屈曲部１７ａは、ピン孔９ａの挿入を妨げればよく、ピン孔９ａの半径方向であれば何れの屈曲方向でもよい。
【００１５】
第５実施例を図１０に示す。同図において止めピン１１の摘み部１８は、後方へほぼ円弧状に湾曲しつつ起点位置に向かって曲げ返され、ピン孔９ａの外側に張り出し、ピン孔９ａへの挿入を阻止する湾曲部１８ａを備える。摘み部１８は、止めピン１１をピン孔９ａに挿入していき、図示しない抜け止め部が出口側のピン孔９ａから露出して固定部９の側面に係合すると、入口側の固定部９の側面に当接し、抜け止め部との間で止めピン１１をピン孔９ａ，１０ａの軸線方向前後に移動不可能にする一方、係合を外した抜け止め部をピン孔９ａに押し込むと、固定部９から突出するので、つまんで止めピン１１をピン孔９ａ，１０ａから引き抜くことができる。
【００１６】
第６実施例を図１１に示す。同図において止めピン１１の摘み部１９は、ピン孔９ａの外側に張り出し、ピン孔９ａへの挿入を阻止する膨出部１９ａを備える。この摘み部１９においても、図示しない抜け止め部との間で止めピン１１をピン孔９ａ，１０ａの軸線方向前後に移動不可能にする一方、係合を外した抜け止め部をピン孔９ａに押し込めば、固定部９から突出するので、つまんで止めピン１１をピン孔９ａ，１０ａから引き抜くことができる。
【符号の説明】
【００１７】
１    吊架線保護カバー
２    分割体
３    半円筒部
４    鍔部
５    係合部
６    溝
７    突条
８    切欠き
９    固定部
９ａ  ピン孔
１０    固定部
１０ａ  ピン孔
１１    止めピン
１２    曲げ部
１３    抜け止め部
１４    摘み部
１４ａ  クリップ部
１５    抜け止め部
１５ａ  大径部
１６    抜け止め部
１６ａ  クランク部
１７    摘み部
１７ａ  屈曲部
１８    摘み部
１８ａ  湾曲部
１９    摘み部
１９ａ  膨出部
【図１】
2014189163.tif 000003
【図２】
2014189163.tif 000004
【図３】
2014189163.tif 000005
【図４】
2014189163.tif 000006
【図５】
2014189163.tif 000007
【図６】
2014189163.tif 000008
【図７】
2014189163.tif 000009
【図８】
2014189163.tif 000010
【図９】
2014189163.tif 000011
【図１０】
2014189163.tif 000012
【図１１】
2014189163.tif 000013